(57)【特許請求の範囲】
【請求項１】
導電性基体上に、電荷発生剤、電荷輸送剤、フィラー、結着樹脂を含む単層構造の感光層が形成された正帯電単層型感光体と、
該感光体に接触した状態で帯電バイアスが印加されることにより前記感光層を帯電させる帯電部材と、
を備えた画像形成装置において、
前記帯電部材は、導電性ゴムで形成され、帯電バイアスとして直流電圧が印加される帯電ローラーであり、
前記感光体は、前記感光層の表面粗さが断面曲線凹凸の平均間隔（Ｓｍ）で８０〜３００μｍ、且つ、十点平均粗さ（Ｒｚ）で０．４５〜１０μｍであることを特徴とする画像形成装置。
【請求項２】
前記感光体は、前記導電性基体の表面粗さが断面曲線凹凸の平均間隔（Ｓｍ）で５０〜１５０μｍ、且つ、十点平均粗さ（Ｒｚ）で１．４〜１５μｍであることを特徴とする請求項１に記載の画像形成装置。
【発明の詳細な説明】
【技術分野】
【０００１】
本発明は、電子写真方式を利用した複写機、プリンター、ファクシミリ、それらの複合機等の画像形成装置に関し、特に、有機感光層が形成された有機感光体の表面を接触帯電方式により帯電させる画像形成装置に関するものである。
【背景技術】
【０００２】
近年、電子写真プロセスを用いた画像形成装置には、像担持体である感光体の表面を帯電させるために帯電装置が用いられている。帯電装置としては、感光体とコロナワイヤーを非接触に配置し、コロナ放電により感光体の表面を帯電させるスコロトロン帯電方式と、帯電ローラー等の帯電部材を感光体の表面に接触させて帯電させる接触帯電方式とが知られている。しかし、近年、人体に有害なオゾンの排出量を減らすため、オゾン排出量がより少ない接触帯電方式が採用されることが多くなっている。
【０００３】
一方、像担持体である感光体は、円筒基材の表面に十〜数十μｍの感光層が形成されたものであるが、感光層を構成する主材料により有機感光体と無機感光体に分けられる。有機感光体は、無機感光体と比べて製造が容易であるとともに、感光層を形成する有機材料の選択肢が多様で設計の自由度が高いという利点を有する。
【０００４】
有機感光体としては、電荷発生剤を含有する電荷発生層と電荷輸送剤を含有する電荷輸送層とを積層した積層型感光体と、特許文献１に記載されているように、電荷発生剤と電荷輸送剤とを単一の感光層中に分散させた単層型感光体とがある。単層型感光体は、感光層の表面近傍で光キャリアが発生するため感光層を厚くすることができ、長寿命化に適していること、単層塗工であるため容易且つ低コストで製造できること等の利点を有する。従って、単層型感光体と接触帯電方式とを組み合わせることにより、より環境対応性に優れた電子写真プロセスの設計が可能になると考えられる。
【０００５】
しかしながら、接触帯電方式に特有の問題として、帯電部材表面の凹凸から感光層に局所的に放電することで発生する帯電ムラがある。この帯電ムラは、特に正帯電単層型感光体で発生しやすい。この理由は、単層型感光体は電荷発生剤、電荷輸送剤、結着樹脂が同一層に含有されており、それぞれの材料に対して放電が発生する電圧が異なるため、局所放電しやすい箇所（放電サイト）が存在する。このような放電サイトが感光層表面に点在することによって帯電ムラが発生すると考えられる。帯電ムラの要因である局所放電を抑えるためには、放電電圧を上げて局所放電しにくい箇所にも放電を促す手段があるが、放電電圧（＝感光体流れ込み電流）を上げることで感光層の削れが促進されるため、感光体の寿命が短くなってしまう。
【０００６】
また、図９に示すように、電荷発生層と電荷輸送層が分離している積層型感光体に対して、単層型感光体は光導電層の主成分である樹脂材料に電荷発生剤ＣＧＭや電荷輸送剤ＣＴＭ（電荷のうち、電子を輸送するＥＴＭ、ホールを輸送するＨＴＭ）など多くの材料が配合されている。このような構成により、単層型感光体で発生する光キャリアは光導電層に存在する各種材料中を通過することとなり、キャリアトラップされ易い傾向があると考えられる。そして、このキャリアトラップによる感光体特性の変化として帯電能力（一定電流を流した時のドラムの帯電電位で示される）の低下がある。
【０００７】
また、直流電圧に交流電圧を重畳した重畳電圧を帯電ローラーに印加させることで、感光体表面の帯電電位を均一化することができる傾向があるが、オゾンの発生量および感光層の削れの観点からも望ましくない。さらに、帯電ローラーの直径を大きくして放電領域を拡大したり、感光体の駆動速度（回転速度）を低下させて感光層が放電領域を通過する時間を延長したりすることも帯電ムラの抑制に一定の効果はあるが、製品の小型化や高速化の要望を考慮すると、これらの対策も望ましいものとは言えない。
【０００８】
そこで、特許文献２には、正帯電単層型感光体と、接触帯電部材である導電性ゴム製の帯電ローラーとを備え、帯電ローラーのゴム硬度、及び表面粗さを所定範囲とすることにより感光層のキャリアトラップ、膜削れ、帯電ムラを抑制する画像形成装置が開示されている。一方、特許文献３には、感光層中に樹脂または金属フィラーを均一分散させることにより、感光層の耐摩耗性を向上させた正帯電単層型感光体が開示されている。
【先行技術文献】
【特許文献】
【０００９】
【特許文献１】特開２００２−７２５１１号公報
【特許文献２】特開２０１２−１４１４１号公報
【特許文献３】特開２０１４−１３０２３６号公報
【発明の概要】
【発明が解決しようとする課題】
【００１０】
特許文献２の方法を用いたとしても、正帯電単層型感光体の帯電ムラが完全に解消されるわけではなく、感光体側の工夫が必要となる。このような帯電ムラは、感光層表面が平滑であるほど感光層表面の放電サイトの影響が顕著に表れ局所放電が起きやすい。そのため、特に感光層の表面状態が比較的平滑である未使用状態の感光体で顕著に発生しやすい傾向がある。しかし、感光層表面の放電サイトは放電による劣化や、クリーニングブレードによる掻き取りまたは押し込みによって解消されるため、正帯電単層感光体の使用開始から時間が経過するとともに感光層表面の放電サイトの影響は無視できるものとなる。
【００１１】
これに対し、特許文献３のように、正帯電単層型感光体の長寿命化のために感光層に樹脂または金属のフィラーを均一分散させ、ブレードによる摩耗レートを低減させた感光体を用いると、感光層表面の放電サイトの影響が顕著に表れる。感光層にフィラーを分散させた場合、ブレードの摩擦力が低減することにより感光層最表面の放電サイトの掻き取り力ないしは押し込み力が低下してしまうためである。
【００１２】
本発明は、上記問題点に鑑み、接触帯電方式を用いて単層型感光体を帯電させる際に、感光層表面で起こる帯電ムラを発生させず、且つ感光層の耐摩耗性も向上させた、環境対応型の画像形成装置を提供することを目的とする。
【課題を解決するための手段】
【００１３】
上記目的を達成するために本発明の第１の構成は、正帯電単層型感光体と、帯電部材と、を備えた画像形成装置である。正帯電単層型感光体は、導電性基体上に、電荷発生剤、電荷輸送剤、フィラー、結着樹脂を含む単層構造の感光層が形成される。帯電部材は、感光体に接触した状態で帯電バイアスが印加されることにより前記感光層を帯電させる。帯電部材は、導電性ゴムで形成され、帯電バイアスとして直流電圧が印加される帯電ローラーであり、感光体は、感光層の表面粗さが断面曲線凹凸の平均間隔（Ｓｍ）で８０〜３００μｍ、且つ、十点平均粗さ（Ｒｚ）で０．４５〜１０μｍである。
【発明の効果】
【００１４】
本発明の第１の構成によれば、正帯電単層型感光体の使用初期において、放電劣化していない電荷発生剤の存在により感光層表面近傍に発生する放電サイトに帯電部材から微小リークが生じ、異常放電画像が発生するという不具合を効果的に抑制することができる。また、感光層の耐摩耗性を向上させるために感光層にフィラーを含有させた場合、クリーニングブレードによる摩擦力が低減するため放電サイトの除去力も低下し、帯電ムラが長期間継続して発生するが、感光層の表面粗さを適正化することで、放電サイトの除去力の低下による帯電ムラの発生の抑制と感光体の長寿命化とを両立させることができる。
【図面の簡単な説明】
【００１５】
【図１】本発明の一実施形態に係る画像形成装置１００の全体構成を示す概略図
【図２】図１における画像形成部Ｐａの部分拡大図
【図３】感光層の表面が平滑である場合の帯電ローラー２１から感光体ドラム１表面への放電状態を示す模式図
【図４】図３における感光体ドラム１の表面電位分布を示すグラフ
【図５】感光層の表面が過度に荒れている場合の帯電ローラー２１から感光体ドラム１表面への放電状態を示す模式図
【図６】図５における感光体ドラム１の表面電位分布を示すグラフ
【図７】感光層の表面が適度に荒れている場合の帯電ローラー２１から感光体ドラム１表面への放電状態を示す模式図
【図８】図７における感光体ドラム１の表面電位分布を示すグラフ
【図９】単層型感光体と積層型感光体におけるキャリアトラップを模式的に示す図
【発明を実施するための形態】
【００１６】
以下、図面を参照しながら本発明の実施形態について説明する。図１は、本発明の一実施形態に係る画像形成装置１００の概略構成を示す断面図である。画像形成装置１００は、本実施形態では、異なる４色（マゼンタ、シアン、イエローおよびブラック）に対応する４つの感光体ドラム１ａ、１ｂ、１ｃおよび１ｄを並列配置して画像形成を行う、４連タンデム型のカラープリンターで構成されている。
【００１７】
画像形成装置１００の装置本体内には、４つの画像形成部Ｐａ、Ｐｂ、ＰｃおよびＰｄが、図１では左側から順に配設されている。これらの画像形成部Ｐａ〜Ｐｄは、異なる４色（マゼンタ、シアン、イエローおよびブラック）の画像に対応して設けられており、それぞれ帯電、露光、現像および転写の各工程によりマゼンタ、シアン、イエローおよびブラックの画像を順次形成する。
【００１８】
これらの画像形成部Ｐａ〜Ｐｄには、各色の可視像（トナー像）を担持する上記した感光体ドラム１ａ〜１ｄがそれぞれ配設されており、さらに図１において反時計回り方向に回転する中間転写ベルト８が各画像形成部Ｐａ〜Ｐｄに隣接して設けられている。これらの感光体ドラム１ａ〜１ｄ上に形成されたトナー像が、各感光体ドラム１ａ〜１ｄに当接しながら移動する中間転写ベルト８上に順次転写された後、二次転写ローラー９において用紙Ｐ上に一度に転写され、さらに、定着装置１３において用紙Ｐ上に定着された後、画像形成装置１００より排出される。感光体ドラム１ａ〜１ｄを図１において時計回り方向に回転させながら、各感光体ドラム１ａ〜１ｄに対する画像形成プロセスが実行される。
【００１９】
トナー像が転写される用紙Ｐは、画像形成装置１００内の下部に配置された用紙カセット１６内に収容されており、給紙ローラー１２ａおよびレジストローラー対１２ｂを介して二次転写ローラー９へと搬送される。中間転写ベルト８には誘電体樹脂製のシートが用いられ、主に継ぎ目を有しない（シームレス）ベルトが用いられる。中間転写ベルト８および二次転写ローラー９は、ベルト駆動モーター（図示せず）により感光体ドラム１ａ〜１ｄと同一線速で回転駆動される。また、中間転写ベルト８の回転方向に対し二次転写ローラー９の下流側には、中間転写ベルト８表面に残存するトナー等を除去するためのブレード状のベルトクリーナー１９が配置されている。
【００２０】
次に、画像形成部Ｐａ〜Ｐｄについて説明する。回転可能に配設された感光体ドラム１ａ〜１ｄの周囲および下方には、感光体ドラム１ａ〜１ｄを帯電させる帯電装置２ａ、２ｂ、２ｃおよび２ｄと、各感光体ドラム１ａ〜１ｄに対して画像データに基づく露光を行う露光ユニット５と、感光体ドラム１ａ〜１ｄ上に形成される静電潜像をトナーで現像する現像装置３ａ、３ｂ、３ｃおよび３ｄと、感光体ドラム１ａ〜１ｄ上でトナー像の転写後に残留した現像剤（トナー）を回収、除去するクリーニング装置７ａ、７ｂ、７ｃおよび７ｄとが設けられている。
【００２１】
パソコン等の上位装置から画像データが入力されると、先ず、帯電装置２ａ〜２ｄによって感光体ドラム１ａ〜１ｄの表面を一様に帯電させ、次いで露光ユニット５によって画像データに基づいて光照射し、各感光体ドラム１ａ〜１ｄ上に画像データに応じた静電潜像を形成する。現像装置３ａ〜３ｄは、感光体ドラム１ａ〜１ｄに対向配置された現像ローラー（現像剤担持体）を備え、それぞれマゼンタ、シアン、イエローおよびブラックの各色のトナーを含む二成分現像剤が所定量充填されている。
【００２２】
なお、後述のトナー像の形成によって各現像装置３ａ〜３ｄ内に充填された二成分現像剤中のトナーの割合が規定値を下回った場合にはトナーコンテナ４ａ〜４ｄから各現像装置３ａ〜３ｄにトナーが補給される。このトナーは、現像装置３ａ〜３ｄにより感光体ドラム１ａ〜１ｄ上に供給され、静電的に付着することにより、露光ユニット５の露光により形成された静電潜像に応じたトナー像が形成される。
【００２３】
そして、一次転写ローラー６ａ〜６ｄにより一次転写ローラー６ａ〜６ｄと感光体ドラム１ａ〜１ｄとの間に所定の転写電圧を付与することにより、感光体ドラム１ａ〜１ｄ上のマゼンタ、シアン、イエローおよびブラックのトナー像が中間転写ベルト８上に一次転写される。これらの４色の画像は、所定のフルカラー画像形成のために予め定められた所定の位置関係をもって形成される。一次転写ローラー６ａ〜６ｄは、一次転写駆動モーター（図示せず）により感光体ドラム１ａ〜１ｄおよび中間転写ベルト８と同一線速で回転駆動される。その後、引き続き行われる新たな静電潜像の形成に備え、感光体ドラム１ａ〜１ｄの表面に残留したトナーがクリーニング装置７ａ〜７ｄにより除去される。
【００２４】
中間転写ベルト８は、従動ローラー１０及び駆動ローラー１１に掛け渡されており、上記ベルト駆動モーターによる駆動ローラー１１の回転に伴い中間転写ベルト８が反時計回り方向に回転を開始すると、用紙Ｐがレジストローラー対１２ｂから所定のタイミングで中間転写ベルト８に隣接して設けられた二次転写ローラー９と中間転写ベルト８のニップ部（二次転写ニップ部）へ搬送され、ニップ部において用紙Ｐ上にフルカラー画像が二次転写される。トナー像が転写された用紙Ｐは定着装置１３へと搬送される。
【００２５】
定着装置１３に搬送された用紙Ｐは、定着ローラー対１３ａのニップ部（定着ニップ部）を通過する際に加熱および加圧されてトナー像が用紙Ｐの表面に定着され、所定のフルカラー画像が形成される。フルカラー画像が形成された用紙Ｐは、複数方向に分岐した分岐部１４によって搬送方向が振り分けられる。用紙Ｐの片面のみに画像を形成する場合は、そのまま排出ローラー対１５によって排出トレイ１７に排出される。
【００２６】
一方、用紙Ｐの両面に画像を形成する場合は、定着装置１３を通過した用紙Ｐの一部を一旦排出ローラー対１５から装置外部にまで突出させる。その後、用紙Ｐは排出ローラー対１５を逆回転させることにより分岐部１４で反転搬送路１８に振り分けられ、画像面を反転させた状態で二次転写ローラー９に再搬送される。そして、中間転写ベルト８上に形成された次の画像が二次転写ローラー９により用紙Ｐの画像が形成されていない面に転写され、定着装置１３に搬送されてトナー像が定着された後、排出ローラー対１５によって排出トレイ１７に排出される。
【００２７】
図２は、図１における画像形成部Ｐａ付近を拡大して示す断面図である。感光体ドラム１ａの周囲には、感光体ドラム１ａの回転方向（図２の時計回り方向）に沿って、上述した帯電装置２ａ、現像装置３ａ、一次転写ローラー６ａ、クリーニング装置７ａが配設されている。このうち、一次転写ローラー６ａは、中間転写ベルト８を挟んで感光体ドラム１ａと対向する位置に配置されている。また、感光体ドラム１ａと、帯電装置２ａと、クリーニング装置７ａとはユニット化されている。なお、各画像形成部Ｐａ〜Ｐｄにおいて、感光体ドラム１ａ〜１ｄと、帯電装置２ａ〜２ｄと、クリーニング装置７ａ〜７ｄとから成るユニットを、ドラムユニット４０ａ〜４０ｄと称する。
【００２８】
次に、上述した画像形成部Ｐａ〜Ｐｄを構成する各部材、装置の詳細について説明する。なお、図２では、画像形成部Ｐａに配置される感光体ドラム１ａ、及びこれと相対する帯電装置２ａ、現像装置３ａ、クリーニング装置７ａを示しているが、画像形成部Ｐｂ〜Ｐｄに配置される感光体ドラム１ｂ〜１ｄ、及びこれと相対する帯電装置２ｂ〜２ｄ、現像装置３ｂ〜３ｄ、クリーニング装置７ｂ〜７ｄの構成及び動作についても全く同様であるため、以下の説明では、各画像形成部Ｐａ〜Ｐｄの感光体ドラム、帯電装置、現像装置及びクリーニング装置を示すａ〜ｄの符号を省略する。
【００２９】
感光体ドラム１は、アルミニウム等の導電性基体（筒体）上に、電荷発生剤、電荷輸送剤、結着樹脂（バインダー）、フィラーを同一層に含有した有機感光層（ＯＰＣ）が積層された、正帯電単層型感光体である。  以下、導電性基体及び感光層について詳細に説明する。
【００３０】
［導電性基体］
導電性基体は、正帯電単層型感光体の導電性基体として用いることができるものであれば、特に限定されない。具体的には、導電性を有する材料で少なくとも表面部が構成されるもの等が挙げられる。例えば、導電性を有する材料からなるものであってもよいし、プラスチック材料等の表面を、導電性を有する材料で被覆したものであってもよい。また、導電性を有する材料としては、例えば、アルミニウム、鉄、銅、錫、白金、銀、バナジウム、モリブデン、クロム、カドミウム、チタン、ニッケル、パラジウム、インジウム、ステンレス鋼、真鍮等が挙げられる。また、導電性を有する材料としては、導電性を有する材料を１種で用いてもよいし、２種以上を組み合わせて、例えば、合金等として用いてもよい。また、導電性基体の材料としては、上記の中でも、感光層から導電性基体への電荷の移動が良好であるアルミニウム又はアルミニウム合金を用いることが好ましい。
【００３１】
導電性基体の形状は、使用する画像形成装置の構造に合わせて適宜選択することができ、例えば、シート状、ドラム状等の基体が好適に使用できる。また、導電性基体の厚みは上記形状に応じて適宜選択することができる。
【００３２】
［感光層］
正帯電単層型感光体が備える感光層としては、電荷発生剤、電荷輸送剤、フィラー、及びバインダー樹脂を含む単層構造の感光層であり、フィラーが、シリカ微粒子及び樹脂微粒子からなる群より選択される１種以上の微粒子を含むものであれば特に限定されない。以下、感光層を構成する成分である、電荷発生剤、電荷輸送剤、フィラー、バインダー樹脂、及び添加剤、並びに正帯電単層型感光体の製造方法について説明する。
【００３３】
（電荷発生剤）
電荷発生剤としては、正帯電単層型感光体の電荷発生剤として用いることができるものであれば、特に限定されない。具体的には、例えば、フタロシアニン系顔料、ペリレン顔料、ビスアゾ顔料、ジチオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、セレン、セレン−テルル、セレン−ヒ素、硫化カドミウム、アモルファスシリコン等の無機光導電材料の粉末、ピリリウム塩、アンサンスロン系顔料、トリフェニルメタン系顔料、スレン系顔料、トルイジン系顔料、ピラゾリン系顔料、キナクリドン系顔料等が挙げられる。
【００３４】
また、電荷発生剤は、所望の領域に吸収波長を有するように、単独で用いてもよいし、２種以上を組み合わせて用いてもよい。さらに、前述の各電荷発生剤のうち、特に半導体レーザー等の光源を使用したレーザービームプリンターやファクシミリ等のデジタル光学系の画像形成装置には、７００ｎｍ以上の波長領域に感度を有する正帯電単層型電子写真感光体が必要となるため、例えば、無金属フタロシアニンやオキソチタニルフタロシアニン等のフタロシアニン系顔料が好適に用いられる。なお、上記フタロシアニン系顔料の結晶形については特に限定されず、種々のものが使用される。
【００３５】
フタロシアニン系顔料の具体例としては、下記式（Ｉ）で表されるＸ型無金属フタロシアニン（ｘ−Ｈ２Ｐｃ）や、下記式（ＩＩ）で表されるα型やＹ型等のオキソチタニルフタロシアニンが挙げられる。
【００３６】
【化１】
0006319190.tif 000002
【化２】
0006319190.tif 000003
【００３７】
これらのなかでも、（Ａ）ＣｕＫα特性Ｘ線回折スペクトルにおいて、ブラッグ角２θ±０．２°＝２７．２°に主ピークを有し、（Ｂ）示差走査熱量分析において、吸着水の気化にともなうピーク以外に５０℃以上２７０℃以下の範囲内に１つのピークを有するオキソチタニルフタロシアニンや、
（Ａ）の特徴に加えて、且つ、（Ｃ）示差走査熱量分析において、吸着水の気化にともなうピーク以外は、５０℃以上４００℃以下の範囲内にピークを有しないオキソチタニルフタロシアニンや、
（Ａ）の特徴に加えて、且つ、（Ｄ）示差走査熱量分析において、吸着水の気化にともなうピーク以外は、５０℃以上２７０℃以下の範囲内にピークを有さず、２７０℃以上４００℃以下の範囲内に１つのピークを有するオキソチタニルフタロシアニンが感度の点で好ましい。
【００３８】
（電荷輸送剤）
本発明に使用される電荷輸送剤としては、正孔輸送剤（ＨＴＭ）及び電子輸送剤（ＥＴＭ）から選択される１種以上の材料を含む。以下、正孔輸送剤と、電子輸送剤とについて順に説明する。
【００３９】
正孔輸送剤（ＨＴＭ）としては、正帯電単層型感光体の感光層に含まれる正孔輸送剤として用いることができるものであれば、特に限定されない。具体的には、例えば、ベンジジン誘導体、２，５−ジ（４−メチルアミノフェニル）−１，３，４−オキサジアゾール等のオキサジアゾール系化合物、９−（４−ジエチルアミノスチリル）アントラセン等のスチリル系化合物、ポリビニルカルバゾール等のカルバゾール系化合物、有機ポリシラン化合物、１−フェニル−３−（ｐ−ジメチルアミノフェニル）ピラゾリン等のピラゾリン系化合物、ヒドラゾン系化合物、トリフェニルアミン系化合物、インドール系化合物、オキサゾール系化合物、イソオキサゾール系化合物、チアゾール系化合物、トリアゾール系化合物等の含窒素環式化合物、縮合多環式化合物等が挙げられる。これらの正孔輸送剤の中では、分子中に１又は複数のトリフェニルアミン骨格を有するトリフェニルアミン系化合物がより好ましい。これらの正孔輸送剤は、単独で用いてもよく、２種以上を組み合わせて用いてもよい。
【００４０】
電子輸送剤（ＥＴＭ）としては、正帯電単層型感光体の感光層に含まれる電子輸送剤として用いることができるものであれば、特に限定されない。具体的には、例えば、ナフトキノン誘導体、ジフェノキノン誘導体、アントラキノン誘導体、アゾキノン誘導体、ニトロアントアラキノン誘導体、ジニトロアントラキノン誘導体等のキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、テトラシアノエチレン、２，４，８−トリニトロチオキサントン、ジニトロベンゼン、ジニトロアントラセン、ジニトロアクリジン、無水コハク酸、無水マレイン酸、ジブロモ無水マレイン酸等が挙げられる。これらの電子輸送剤は単独で用いてもよく、２種以上を組み合わせて用いてもよい。
【００４１】
（フィラー）
フィラーは、シリカ微粒子及び樹脂微粒子からなる群より選択される１種以上の微粒子を含む。フィラーの体積平均粒子径は５ｎｍ以上５μｍ以下である。このようなフィラーが感光層中に含まれることで、耐磨耗性に優れる正帯電単層型感光体を得ることができる。
【００４２】
樹脂微粒子の材質は、本発明の目的を阻害しない範囲で特に限定されない。樹脂微粒子の材質の好適な例としては、シリコーンゴム、オルガノポリシロキサンのようなシリコーン樹脂、ポリフェニレンスルフィド樹脂、及びポリテトラフルオロエチレン樹脂のようなフッ素含有樹脂等の樹脂が挙げられる。シリコーン樹脂としては、ポリシルセスキオキサンが好ましく、ポリメチルシルセスキオキサンがより好ましい。
【００４３】
シリカ微粒子は、本発明の目的を阻害しない限り、周知のシリカ微粒子から適宜選択することができる。シリカ微粒子としては、シランカップリング剤やシリコーンオイルのような表面処理剤で処理されたものも使用することができる。
【００４４】
フィラーの体積平均粒子径は、５ｎｍ以上、５μｍ以下であり、５ｎｍ以上、１μｍ以下がより好ましく、５ｎｍ以上、０．１μｍ以下が特に好ましい。フィラーの体積平均粒子径が過大である場合、感光体表面が良好に帯電されにくい傾向があり、電気特性に優れる正帯電単層型感光体を得にくい。
【００４５】
フィラーは、本発明の目的を阻害しない範囲で、シリカ微粒子及び樹脂微粒子以外の他の種類の微粒子を含んでいてもよい。シリカ微粒子及び樹脂微粒子以外の他の種類の微粒子は、例えば、金属酸化物微粒子、無機金属塩微粒子、及び有機金属塩微粒子のような微粒子の中から、得られる正帯電単層型電子写真感光体の性能を勘案して選択される。フィラーが、シリカ微粒子及び樹脂微粒子以外の他の種類の微粒子を含む場合、フィラー中の、シリカ微粒子の含有量と、樹脂微粒子の含有量の合計は、フィラーの質量に対して、８０質量％以上が好ましく、９０質量％以上が好ましく、９５質量％以上が特に好ましい。
【００４６】
（結着樹脂）
結着樹脂としては、正帯電単層型電子写真感光体の感光層に含まれる結着樹脂として用いることができるものであれば、特に限定されない。結着樹脂として好適に使用される樹脂の具体例としては、ポリカーボネート樹脂、スチレン系樹脂、スチレン−ブタジエン共重合体、スチレン−アクリロニトリル共重合体、スチレン−マレイン酸共重合体、スチレン−アクリル酸共重合体、アクリル共重合体、ポリエチレン樹脂、エチレン−酢酸ビニル共重合体、塩素化ポリエチレン樹脂、ポリ塩化ビニル樹脂、ポリプロピレン樹脂、アイオノマー、塩化ビニル−酢酸ビニル共重合体、アルキド樹脂、ポリアミド樹脂、ポリウレタン樹脂、ポリアリレート樹脂、ポリスルホン樹脂、ジアリルフタレート樹脂、ケトン樹脂、ポリビニルブチラール樹脂、ポリエーテル樹脂、ポリエステル樹脂等の熱可塑性樹脂；シリコーン樹脂、エポキシ樹脂、フェノール樹脂、尿素樹脂、メラミン樹脂、その他架橋性の熱硬化性樹脂等の熱硬化性樹脂；エポキシアクリレート樹脂、ウレタン−アクリレート共重合樹脂等の光硬化性樹脂が挙げられる。これらの樹脂は、単独で用いてもよく、２種以上を組み合わせて用いてもよい。
【００４７】
これらの樹脂の中では、加工性、機械的特性、光学的特性、耐摩耗性のバランスに優れた感光層が得られることから、ビスフェノールＺ型ポリカーボネート樹脂、ビスフェノールＺＣ型ポリカーボネート樹脂、ビスフェノールＣ型ポリカーボネート樹脂、及びビスフェノールＡ型ポリカーボネート樹脂等のポリカーボネート樹脂がより好ましい。
【００４８】
（添加剤）
正帯電単層型感光体の感光層は、上述した電荷発生剤、正孔輸送剤、電子輸送剤、フィラー、及び結着樹脂の他に、電子写真特性に悪影響を与えない範囲で各種添加剤を含んでいてもよい。感光層に配合できる添加剤としては、例えば、酸化防止剤、ラジカル捕捉剤、１重項クエンチャー、紫外線吸収剤等の劣化防止剤、軟化剤、可塑剤、表面改質剤、増量剤、増粘剤、分散安定剤、ワックス、アクセプター、ドナー、界面活性剤、及びレベリング剤等が挙げられる。
【００４９】
次に、感光体ドラム１の製造方法について説明する。正帯電単層型感光体である感光体ドラム１の製造方法は、本発明の目的を阻害しない範囲で特に限定されない。感光体ドラム１の製造方法の好適な例としては、感光層用の塗布液を導電性基体上に塗布して感光層を形成する方法が挙げられる。具体的には、電荷発生剤、正孔輸送剤、電子輸送剤、フィラー、結着樹脂、及び必要に応じて各種添加剤等を溶剤に溶解又は分散させた塗布液を導電性基体上に塗布し、乾燥することによって、感光層を製造することができる。塗布方法は、特に限定されないが、例えば、スピンコーター、アプリケーター、スプレーコーター、バーコーター、ディップコーター、ドクターブレード等を用いる方法が挙げられる。また、導電性基体上に形成された塗膜の乾燥方法としては、例えば、８０℃以上１５０℃以下で１５分間以上１２０分間以下の条件で熱風乾燥する方法等が挙げられる。
【００５０】
感光層中における、電荷発生剤、正孔輸送剤、電子輸送剤、及び結着樹脂の各含有量は、適宜選定され、特に限定されない。具体的には、例えば、電荷発生剤の含有量は、結着樹脂１００質量部に対して、０．１質量部以上５０質量部以下が好ましく、０．５質量部以上３０質量部以下がより好ましい。電子輸送剤の含有量は、結着樹脂１００質量部に対して、５質量部以上１００質量部以下が好ましく、１０質量部以上８０質量部以下がより好ましい。正孔輸送剤の含有量は、結着樹脂１００質量部に対して、５質量部以上５００質量部以下であることが好ましく、２５質量部以上２００質量部以下であることがより好ましい。また、正孔輸送剤と電子輸送剤の含有量の合計、すなわち、電荷輸送剤の含有量は、結着樹脂１００質量部に対して、２０質量部以上５００質量部以下であることが好ましく、３０質量部以上２００質量部以下であることがより好ましい。
【００５１】
感光層の厚さは、感光層として充分な機能を有することができれば、特に限定されない。具体的には、例えば、５μｍ以上１００μｍ以下であることが好ましく、１０μｍ以上５０μｍ以下であることが好ましい。
【００５２】
感光層用の塗布液に含有される溶剤としては、感光層を構成する各成分を溶解又は分散させることができれば、特に限定されない。具体的には、メタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族炭化水素；ジクロロメタン、ジクロロエタン、四塩化炭素、クロロベンゼン等のハロゲン化炭化水素；ジメチルエーテル、ジエチルエーテル、テトラヒドロフラン、エチレングリコールジメチルエーテル、ジエチレングリコールジメチルエーテル等のエーテル類；アセトン、メチルエチルケトン、メチルイソブチルケトン、シクロヘキサノン等のケトン類；酢酸エチル、酢酸メチル等のエステル類；ジメチルホルムアルデヒド、ジメチルホルムアミド、ジメチルスルホキシド等の非プロトン性極性有機溶媒が挙げられる。これらの溶剤は、単独で用いてもよいし、２種以上を組み合わせて用いてもよい。
【００５３】
次に、感光体ドラム１の周辺に配置される帯電装置２、現像装置３、一次転写ローラー６、クリーニング装置７について説明する。帯電装置２は、感光体ドラム１に当接して従動回転し、感光体ドラム１の表面を帯電する帯電ローラー２１と、帯電ローラー２１に当接して回転駆動され、帯電ローラー２１の外周面を清掃するクリーニングブラシ２３とを有する。
【００５４】
帯電ローラー２１は、金属製の芯金の外周面に半導電性の弾性材料で形成された弾性層（ゴム層）を有している。本実施形態では、芯金の外周面に、エピクロルヒドリンゴム層と、エピクロルヒドリンゴム層の表面に積層されたポリアミド樹脂から成る塗膜とで構成される弾性層が形成された導電性ゴムローラーを用いている。帯電ローラー２１は、帯電装置２の筐体に回転可能に支持されている。また、帯電ローラー２１は、感光体ドラム１に所定のニップ圧で圧接されており、感光体ドラム１に従動して回転するようになっている。
【００５５】
また、画像形成時、帯電ローラー２１にはトナーと同極性（正極性）の帯電バイアスが印加される。具体的には、帯電ローラー２１の芯金は、バイアス制御回路及び帯電バイアス電源（図示せず）と電気的に接続され、帯電バイアス電源から帯電ローラー２１に対して直流電圧から成る帯電バイアスが印加される。この帯電バイアスの印加によって帯電ローラー２１の弾性層の抵抗に応じて流れる電流により、感光体ドラム１の表面の感光層を帯電させることができる。
【００５６】
クリーニングブラシ２３は、回転軸の外周面に導電性のナイロン等の樹脂で形成されたブラシ部が突出しており、ブラシ部を帯電ローラー２１の外周面に接触させた状態で回転することにより帯電ローラー２１に付着しているトナーや紙粉等を除去するものである。クリーニングブラシ２３の回転軸の一端には感光体ドラム１の回転軸に設けられた出力ギア（図示せず）と連結される入力ギア（図示せず）が固定されており、感光体ドラム１の回転駆動力によって、帯電ローラー２１に対し所定の線速差をもって帯電ローラー２１との対向面において同一方向に回転（ウィズ回転）する。なお、クリーニングブラシ２３に代えて、ゴムや樹脂製のスポンジ状のローラーから成るクリーニングローラーを用いてもよい。
【００５７】
現像装置３は、攪拌搬送スクリュー、供給搬送スクリューから成る２本の攪拌搬送部材２５と、磁気ローラー２７とを有し、磁気ローラー２７の表面に担持された二成分現像剤（磁気ブラシ）を感光体ドラム１表面に接触させて静電潜像をトナー像に現像する。現像装置３へのトナーの供給はトナーコンテナ４（図１参照）から中間ホッパー（図示せず）を介して行われる。
【００５８】
一次転写ローラー６は、感光体ドラム１表面に形成されたトナー像を中間転写ベルト８に転写する。一次転写ローラー６には、トナーと逆極性の転写バイアスを印加するための転写バイアス電源及びバイアス制御回路（いずれも図示せず）が接続されている。
【００５９】
クリーニング装置７は、クリーニングローラー３０、クリーニングブレード３１、及びトナー回収スクリュー３３を有している。クリーニングローラー３０は、感光体ドラム１に所定の圧力で圧接されており、ドラムクリーニングモーター（図示せず）により感光体ドラム１との当接面において同一方向に回転駆動されることで、感光体ドラム１表面の残留トナーを除去するとともに残留トナーを用いて感光体ドラム１表面の感光層を摺擦して研磨する。また、現像装置３から供給されるトナーは研磨材を含むトナー（研磨トナー）である。この研磨トナーは、感光体ドラム１上の静電潜像に付着してトナー像を形成するだけでなく、一次転写ローラー６で転写されなかった残留トナーを利用して感光体ドラム１の表面を研磨するために用いられる。
【００６０】
クリーニングローラー３０の線速は感光体ドラム１の線速よりも速く（ここでは１．２倍）制御されている。クリーニングローラー３０としては、例えば金属シャフトの周囲にローラー体としてＥＰＤＭゴム製でアスカーＣ硬度が５５°の発泡体層を形成した構造が挙げられる。ローラー体の材質としてはＥＰＤＭゴムに限定されず、他の材質のゴムや発泡ゴム体であっても良く、アスカーＣ硬度が１０〜９０°の範囲のものが好適に使用される。
【００６１】
感光体ドラム１表面の、クリーニングローラー３０との当接面よりも回転方向下流側には、クリーニングブレード３１が感光体ドラム１に当接した状態で固定されている。クリーニングブレード３１としては、例えばＪＩＳ（日本工業規格；Japanese Industrial Standards）硬度が７８°のポリウレタンゴム製のブレードが用いられ、その当接点において感光体接線方向に対し所定の角度で取り付けられている。クリーニングブレード３１の材質及び硬度、寸法、感光体ドラム１への食い込み量及び圧接力等は、感光体ドラム１の仕様に応じて適宜設定される。
【００６２】
トナー回収スクリュー３３は、クリーニングローラー３０、クリーニングブレード３１によって感光体ドラム１表面から除去された残留トナーをクリーニング装置７の外部に排出する。
【００６３】
上述したような、正帯電単層型感光体である感光体ドラム１を帯電ローラー２１により帯電させる画像形成装置１００において、感光体ドラム１の感光層の表面粗さと帯電ムラとの関係に着目した。図３は、感光層の表面が平滑である場合の帯電ローラー２１から感光体ドラム１表面への放電状態を示す図、図４は、図３における表面電位分布を示すグラフである。図５は、感光層の表面が過度に荒れている（凹凸がある）場合の帯電ローラー２１から感光体ドラム１表面への放電状態を示す図、図６は、図５における表面電位分布を示すグラフである。
【００６４】
図３に示すように、感光層の表面が平滑である場合は、帯電ローラー２１から感光体ドラム１に移動する電荷は感光層表面に存在する放電サイトＳに選択的に流れ込みやすい。即ち、感光層表面が平滑であるほど放電サイトＳに放電が集中するため、図４に示すように表面電位ムラが大きくなり画像不良に繋がる。
【００６５】
一方、図５に示すように、感光層の表面が過度に荒れている（凹凸が目立ちすぎる）と感光層の表面の凸部Ｔに選択的に電荷が流れ込みやすい。即ち、感光層表面の凹凸が大きくなるほど凸部Ｔに放電が集中するため、図６に示すように表面電位ムラが大きくなり画像不良に繋がる。
【００６６】
つまり、感光層の表面が平滑であるほど、感光層の放電サイトＳの影響による局所放電が支配的になるが、感光層の表面の凹凸が増加するにつれて、放電サイトＳの影響よりも感光層の表面の凹凸（空隙間距離）に応じた局所放電が支配的となることがわかる。
【００６７】
図７は、感光層の表面が適度に荒れている（適度な凹凸がある）場合の帯電ローラー２１から感光体ドラム１表面への放電状態を示す図、図８は、図７における表面電位分布を示すグラフである。図７に示すように、感光層の表面が適度に荒れていると、放電サイトの影響による放電と、表面凹凸（空隙間距離）に応じた放電とが混在した状態となり、放電サイトＳに加えて凸部Ｔにも電荷の流れが生じるため、図８に示すように表面電位のムラが解消されることがわかる。
【００６８】
そこで、本発明では、感光層の表面を適度に荒らすことによって空隙間距離が狭い箇所を作り、感光層の放電サイトの影響による局所放電と、表面凹凸（空隙間距離）による局所放電の両方を発生させることとした。具体的には、感光層表面の表面粗度が、断面曲線凹凸の平均間隔（Ｓｍ）で８０〜３００μｍであり、且つ、十点平均粗さ（Ｒｚ）で０．４５〜１０μｍであれば、画像不良が発生しないレベルに帯電ムラを抑制可能となることを見出した。
【００６９】
また、感光層の表面粗さは、導電性基体の表面粗さをコントロールすることによって得ることができ、導電性基体の表面粗さがＳｍで５０〜１５０μｍ、且つ、Ｒｚで１．４〜１５μｍであれば、所望の感光層の表面粗さ（Ｓｍで８０〜３００μｍ、且つ、Ｒｚで０．４５〜１０μｍ）が得られることを見出した。
【００７０】
上記の構成によれば、感光体ドラム１の使用初期において、放電劣化していない電荷発生剤の存在により感光層表面近傍に発生する放電サイトに帯電ローラー２１から微小リークが生じ、異常放電画像が発生するという不具合を効果的に抑制することができる。また、感光層の耐摩耗性を向上させるために感光層にフィラーを含有させた場合、クリーニングブレード３１による摩擦力が低減するため放電サイトの除去力も低下し、帯電ムラが長期間継続して発生するが、感光層の表面粗さを適正化することで、放電サイトの除去力の低下による帯電ムラの発生と感光体ドラム１の長寿命化とを両立させることができる。
【００７１】
その他本発明は、上記実施形態に限定されず、本発明の趣旨を逸脱しない範囲で種々の変更が可能である。例えば、上記実施形態で示した帯電ローラー２１の材質や形状、帯電ローラー２１に印加する帯電バイアス等は一例であり、感光体ドラム１の感光層の仕様に応じて適宜変更することができる。
【００７２】
また、本発明の画像形成装置としては、図１に示したようなカラープリンターに限らず、モノクロ及びカラー複写機、デジタル複合機、モノクロプリンター、ファクシミリ等の他の画像形成装置であっても良い。以下、試験例により本発明の効果について更に具体的に説明する。
［試験例］
【００７３】
（感光体ドラムの作製）
電荷発生剤（無金属フタロシアニン）５質量部、正孔輸送剤５０質量部、電子輸送剤３５質量部、結着樹脂（粘度平均分子量６７０００）１００質量部、フィラー５質量部をテトラヒドロフラン８００質量部とともにボールミルにて５０時間混合分散し、感光体塗布液を調整した。この塗布液を、表面粗さの異なる直径３０ｍｍのアルミニウム製の導電性基体上にディップコート法にて塗布し、その後１００℃で４０分間熱風乾燥し、膜厚３６μｍで表面粗さの異なる感光層が形成された、１０種類の感光体ドラム１（本発明１〜４、比較例１〜６）を作製した。
【００７４】
導電性基体及び感光層表面の粗さは表面粗さ測定器（ＳＵＲＦＣＯＭ１５００ＤＸ、東京精密社製）を用いて測定を行い、ＪＩＳ  Ｂ０６０１−１９９４の規格に基づいて粗さを決定した（帯電ローラーの表面粗さも同様に決定した）。
【００７５】
作製された本発明１〜４、比較例１〜６の感光体ドラム及び帯電ローラーを試験機（京セラドキュメントソリューションズ社製、ＦＳ−Ｃ５３００ＤＮ）に搭載し、印字率１０％〜２５％のテスト画像を印字した場合の帯電ムラを目視により評価し、帯電ムラが見られなかった場合を○、帯電ムラがあった場合を×とした。なお、帯電ローラーは、エピクロルヒドリンゴムを主成分とするゴムで構成される、硬度７１°、直径１２ｍｍ、導電性ゴム層の厚みｍｍ、表面粗さＲｚ１２μｍ、Ｓｍ１００μｍであり、感光体の表面電位が５２０Ｖになるように帯電ローラー印加電圧を設定した。評価結果を導電性基体の表面粗さ、感光層の表面粗さと併せて表１に示す。
【００７６】
【表１】
0006319190.tif 000004
【００７７】
表１から明らかなように、感光層の表面粗さが、Ｒｚ（μm）で０．４５以上１０以下、且つ、Ｓｍ（μｍ）で８０以上３００以下である本発明１〜４の感光体ドラムを用いた場合、帯電ムラの発生を効果的に抑制できることが確認された。
【産業上の利用可能性】
【００７８】
本発明は、正帯電単層型感光体と、感光体に接触して帯電させる帯電部材を備えた画像形成装置に利用可能である。本発明の利用により、帯電部材を用いて単層型感光体を帯電させる際に、感光層表面で起こる帯電ムラを発生させず、且つ感光層の耐摩耗性も向上させた環境対応性に優れた画像形成装置を提供することができる。
【符号の説明】
【００７９】
Ｐａ〜Ｐｄ      画像形成部
１ａ〜１ｄ、１  感光体ドラム（正帯電単層型感光体）
２ａ〜２ｄ、２  帯電装置
３ａ〜３ｄ、３  現像装置
５              露光ユニット
６ａ〜６ｄ、６  一次転写ローラー
７ａ〜７ｄ、７  クリーニング装置
１３            定着装置
２１            帯電ローラー（帯電部材）
２３            クリーニングブラシ
３０            クリーニングローラー
３１            クリーニングブレード
１００          画像形成装置
【図１】
0006319190.tif 000005
【図２】
0006319190.tif 000006
【図３】
0006319190.tif 000007
【図４】
0006319190.tif 000008
【図５】
0006319190.tif 000009
【図６】
0006319190.tif 000010
【図７】
0006319190.tif 000011
【図８】
0006319190.tif 000012
【図９】
0006319190.tif 000013